(57)【要約】【課題】総材料費の合計価格の最安値で食材を購入でき、経済性および食材収集の効率性を考慮した食材の購入を実現すること。【解決手段】配達範囲を受取人住所情報から自動的に設定し、前記配達範囲内にある店舗３０に対し、食材をお買い得情報から選択して購入する。この際、ユーザは、前記選択した食材を用いた料理ジャンルや前記料理ジャンルに該当する全ての料理名を選択する。処理装置２０１は、前記選択された料理名の料理に必要な全ての食材を選択し、前記選択した全ての材料名の合計価格を店舗ごとに計算し、低価格である店舗を自動的に選択し決定する。前記ユーザは、利用者端末１０の購入画面により購入手続きを行い、処理装置２０１は、購入内容を、前記決定した店舗の電子メールアドレスへユーザ情報とともに自動送信する。【選択図】　　　　図１
2004110538.tif 000002
【特許請求の範囲】
【請求項１】
料理に必要な食材を購入するための食材組み合わせ購入方法であって、
配達される食材を受け取る受取人住所から所定の距離の配達範囲を規定する配達範囲規定ステップと、
食材を選択する食材選択ステップと、
料理名と、その料理に用いられる食材名とを含む料理情報をデータベース化した料理レシピデータベースから、前記食材選択ステップにより選択した食材をもとに、前記食材を利用した料理名を選択する料理選択ステップと、
前記料理選択ステップにより選択した前記料理名をもとに、その料理に用いられる全ての食材を、前記料理レシピデータベースから検索する食材検索ステップと、
食材とその価格とを含む食材情報を前記配達範囲内の店舗ごとにデータベース化した食材情報データベースを、前記食材検索ステップにより検索した前記全ての食材をもとに検索し、前記全ての食材についてその合計価格を前記店舗ごとに算出する食材合計価格算出ステップと、
前記食材合計価格算出ステップにより算出した前記合計価格が最も安価となる前記配達範囲内の店舗を、前記食材を購入する店舗として決定する食材購入店舗決定ステップと、
前記食材購入店舗決定ステップにより決定した店舗から前記食材を購入する食材購入ステップと、
を備えたことを特徴とする食材組み合わせ購入方法。
【請求項２】
前記食材選択ステップでは、前記食材情報データベースをもとに生成されたお買い得情報一覧から食材が選択されることを特徴とする請求項１記載の食材組み合わせ購入方法。
【請求項３】
前記料理選択ステップでは、料理ジャンルごとの料理名と、その料理に用いられる食材名とを含む料理情報をデータベース化した料理レシピデータベースから、前記食材選択ステップにより選択した食材を用いる全ての料理ジャンルの料理名を検索することを特徴とする請求項２記載の食材組み合わせ購入方法。
【請求項４】
前記食材購入ステップは、食材を購入するユーザのユーザ情報とともに、前記食材の購入内容を前記食材購入店舗決定ステップにより決定した店舗の電子メールアドレスへ自動送信し、前記店舗から前記食材を購入することを特徴とする請求項１から３のうちのいずれか１項記載の食材組み合わせ購入方法。
【請求項５】
購入された食材についての各購入情報をユーザごとに格納した購入情報データベースへ前記購入内容を格納する購入情報保存ステップを備えていることを特徴とする請求項４記載の食材組み合わせ購入方法。
【請求項６】
前記購入情報データベースに格納されている購入情報を購入履歴情報として利用する購入情報利用ステップを備えていることを特徴とする請求項５記載の食材組み合わせ購入方法。
【請求項７】
料理に必要な食材を購入するための食材組み合わせ購入システムであって、
料理名と、その料理に用いられる食材名とを含む料理情報をデータベース化した料理レシピデータベースと、
配達される食材を受け取る受取人住所から所定の距離の配達範囲を規定する配達範囲規定手段と、
食材とその価格とを含む食材情報を前記店舗ごとにデータベース化した食材情報データベースと、
食材の選択を促す食材選択手段と、
前記料理レシピデータベースから、前記食材選択手段を介して選択された食材をもとに、前記食材を利用した料理名を検索し、前記検索した料理名から所望の料理名の選択を促す料理選択手段と、
前記料理選択手段を介して選択された前記料理名をもとに、その料理に用いられる全ての食材を、前記料理レシピデータベースから検索する食材検索手段と、
前記食材情報データベースを、前記食材検索手段により検索した前記全ての食材をもとに検索し、前記全ての食材についてその合計価格を前記配達範囲内の店舗ごとに算出する食材合計価格算出手段と、
前記食材合計価格算出手段により算出した前記合計価格が最も安価となる前記配達範囲内の店舗を、前記食材を購入する店舗として決定する食材購入店舗決定手段と、
前記食材購入店舗決定手段により決定した店舗から前記食材を購入する手続きを行うための食材購入手段と、
を備えたことを特徴とする食材組み合わせ購入システム。
【請求項８】
前記食材選択手段は、前記食材情報データベースをもとに生成されたお買い得情報一覧を利用者端末へ表示し、前記お買い得情報一覧をもとに食材の選択を促すことを特徴とする請求項７記載の食材組み合わせ購入システム。
【請求項９】
前記料理選択手段は、料理ジャンルごとの料理名と、その料理に用いられる食材名とを含む料理情報をデータベース化した料理レシピデータベースから、前記食材選択手段を介して選択された食材を用いる全ての料理ジャンルの料理名を検索することを特徴とする請求項８記載の食材組み合わせ購入システム。
【請求項１０】
前記食材購入手段は、食材を購入するユーザのユーザ情報とともに、前記食材の購入内容を前記食材購入店舗決定手段により決定した店舗の電子メールアドレスへ自動送信し、前記店舗から前記食材を購入することを特徴とする請求項７から９のうちのいずれか１項記載の食材組み合わせ購入システム。
【請求項１１】
購入された食材についての各購入情報をユーザごとに格納した購入情報データベースへ前記購入内容を格納する購入情報保存手段を備えていることを特徴とする請求項１０記載の食材組み合わせ購入システム。
【請求項１２】
料理に必要な食材を購入するための食材組み合わせ購入プログラムであって、
配達される食材を受け取る受取人住所から所定の距離の配達範囲を規定する配達範囲規定機能と、
食材の選択を促す食材選択機能と、
料理名と、その料理に用いられる食材名とを含む料理情報をデータベース化した料理レシピデータベースから、前記食材選択機能を介して選択された食材をもとに、前記食材を利用した料理名を検索し、前記検索した料理名から所望の料理名の選択を促す料理選択機能と、
前記料理選択機能を介して選択された前記料理名をもとに、その料理に用いられる全ての食材を、前記料理レシピデータベースから検索する食材検索機能と、食材とその価格とを含む食材情報を前記配達範囲内の店舗ごとにデータベース化した食材情報データベースを、前記食材検索機能により検索した前記全ての食材をもとに検索し、前記全ての食材についてその合計価格を前記店舗ごとに算出する食材合計価格算出機能と、
前記食材合計価格算出機能により算出した前記合計価格が最も安価となる前記配達範囲内の店舗を、前記食材を購入する店舗として決定する食材購入店舗決定機能と、
前記食材購入店舗決定機能により決定した店舗から前記食材を購入するための手続きを行う食材購入機能と、
をコンピュータに実現させるための食材組み合わせ購入プログラム。
【請求項１３】
前記食材選択機能は、前記食材情報データベースをもとに生成されたお買い得情報一覧を利用者端末へ表示し、前記お買い得情報一覧をもとに食材の選択を促すことを特徴とする請求項１２記載の食材組み合わせ購入プログラム。
【請求項１４】
前記料理選択機能は、料理ジャンルごとの料理名と、その料理に用いられる食材名とを含む料理情報をデータベース化した料理レシピデータベースから、前記食材選択機能を介して選択された食材を用いる全ての料理ジャンルの料理名を検索することを特徴とする請求項１３記載の食材組み合わせ購入プログラム。
【請求項１５】
前記食材購入機能は、食材を購入するユーザのユーザ情報とともに、前記食材の購入内容を前記食材購入店舗決定機能により決定した店舗の電子メールアドレスへ自動送信し、前記店舗から前記食材を購入することを特徴とする請求項１２から１４のうちのいずれか１項記載の食材組み合わせ購入プログラム。
【請求項１６】
購入された食材についての各購入情報をユーザごとに格納した購入情報データベースへ、前記購入内容を格納する購入情報保存機能を備えていることを特徴とする請求項１５記載の食材組み合わせ購入プログラム。
【発明の詳細な説明】
【０００１】
【発明の属する技術分野】
本発明は、経済性および食材収集の効率性を考慮して食材を購入できる食材組み合わせ購入方法および装置と食材組み合わせ購入プログラムに関する。
【０００２】
【従来の技術】
従来、買い物は新聞等の折り込みチラシによる売り出し情報を参考にし、食材販売店に出向いて購入している。このため、必要以上の食材を購入したり、不要な食材を購入してしまう場合があり、さらに食材の値段についても各食材販売店における食材価格の比較ができないなど、不経済な買い物となる場合がある。
【０００３】
そこで、料理のジャンルを検索のキーにして食材を選択し、表示された料理レシピの材料を食材供給業者へ注文することで、必要以上の食材を購入したり、不要な食材を購入することなく、必要な食材を必要量だけ購入するものが提案されている（例えば、特許文献１）。
【０００４】
また、料理名から食材を選定し、個別に食材を販売店舗から選択し、このとき特売情報が利用者へ通知され、または直接食材を選定したときに特売情報が明らかになるものが提案されている（例えば、特許文献２）。
【０００５】
【特許文献１】
特開２０００−００５８６８号公報
【特許文献２】
特開２００２−０８３２０６号公報
【０００６】
【発明が解決しようとする課題】
しかしながら前記特許文献１に開示された従来技術では、同一の食材について各食材販売店における値段の比較を考慮していないことから、収集した食材が割高となってしまう場合があるなど経済性を考慮していないという課題があった。
また、前記特許文献２に開示された従来技術では、個別に食材を販売店舗より選択するため、食材を複数の販売店舗から収集することになり手間を要し食材の収集を効率よく行えないという課題があった。
【０００７】
そこで、本発明の目的は、総材料費の合計価格の最安値で食材を購入でき、経済性および食材収集の効率性を考慮して食材を購入できる食材組み合わせ購入方法および装置と食材組み合わせ購入プログラムを提供することにある。
【０００８】
【課題を解決するための手段】
本発明に係る食材組み合わせ購入方法は、配達される食材を受け取る受取人住所から所定の距離の配達範囲を規定する配達範囲規定ステップと、食材を選択する食材選択ステップと、料理名と、その料理に用いられる食材名とを含む料理情報をデータベース化した料理レシピデータベースから、前記食材選択ステップにより選択した食材をもとに、前記食材を利用した料理名を選択する料理選択ステップと、前記料理選択ステップにより選択した前記料理名をもとに、その料理に用いられる全ての食材を、前記料理レシピデータベースから検索する食材検索ステップと、食材とその価格とを含む食材情報を前記配達範囲内の店舗ごとにデータベース化した食材情報データベースを、前記食材検索ステップにより検索した前記全ての食材をもとに検索し、前記全ての食材についてその合計価格を前記店舗ごとに算出する食材合計価格算出ステップと、前記食材合計価格算出ステップにより算出した前記合計価格が最も安価となる前記配達範囲内の店舗を、前記食材を購入する店舗として決定する食材購入店舗決定ステップと、前記食材購入店舗決定ステップにより決定した店舗から前記食材を購入する食材購入ステップとを備えたことを特徴とする。
【０００９】
本発明の食材組み合わせ購入方法は、選択された食材をもとに、料理レシピデータベースから、前記食材を利用した料理名を選択し、前記選択した前記料理名をもとに、その料理に用いられる全ての食材を、前記料理レシピデータベースから検索し、食材とその価格とを含む食材情報を、配達される食材を受け取る受取人住所から所定の距離の配達範囲内にある店舗ごとにデータベース化した食材情報データベースを、前記検索した前記全ての食材をもとに検索し、前記全ての食材についてその合計価格を前記店舗ごとに算出し、前記算出した前記合計価格が最も安価となる前記配達範囲内の店舗を、前記食材を購入する店舗として決定し、前記決定した店舗から前記食材を購入するため、総材料費の合計価格の最安値で食材を購入でき、経済性および食材収集の効率性を考慮して食材を購入できる。
【００１０】
本発明に係る食材組み合わせ購入システムは、料理レシピデータベースと、配達される食材を受け取る受取人住所から所定の距離の配達範囲を規定する配達範囲規定手段と、食材とその価格とを含む食材情報を前記配達範囲内の店舗ごとにデータベース化した食材情報データベースと、食材の選択を促す食材選択手段と、前記食材選択手段を介して選択された食材をもとに、前記料理レシピデータベースから前記食材を利用した料理名を検索し、前記検索した料理名から所望の料理名の選択を促す料理選択手段と、前記料理選択手段を介して料理名が選択されると、その料理に用いられる全ての食材を前記料理レシピデータベースから検索する食材検索手段と、前記食材情報データベースを、前記食材検索手段により検索した前記全ての食材をもとに検索し、前記全ての食材についてその合計価格を前記店舗ごとに算出する食材合計価格算出手段と、前記合計価格が最も安価となる前記配達範囲内の店舗を、前記食材を購入する店舗として決定する食材購入店舗決定手段と、前記決定した店舗から前記食材を購入する手続きを行うための食材購入手段とを備えたことを特徴とする。
【００１１】
本発明の食材組み合わせ購入システムは、料理選択手段が、食材選択手段を介して選択された食材をもとに、料理レシピデータベースから前記食材を利用した料理名を検索し、前記検索した料理名から所望の料理名の選択を促し、前記料理選択手段を介して料理名が選択されると、食材検索手段がその料理に用いられる全ての食材を前記料理レシピデータベースから検索し、食材合計価格算出手段が、食材情報データベースを、前記食材検索手段により検索した前記全ての食材をもとに検索し、前記全ての食材についてその合計価格を、配達される食材を受け取る受取人住所から所定の距離の配達範囲内にある店舗ごとに算出し、食材購入店舗決定手段が、前記合計価格が最も安価となる前記配達範囲内の店舗を、前記食材を購入する店舗として決定し、前記決定した店舗から食材購入手段により前記食材を購入する手続きを行うことが可能になるので、総材料費の合計価格の最安値で食材を購入でき、経済性および食材収集の効率性を考慮して食材を購入できる。
【００１２】
本発明に係る食材組み合わせ購入プログラムは、配達される食材を受け取る受取人住所から所定の距離の配達範囲を規定する配達範囲規定機能と、食材の選択を促す食材選択機能と、料理名と、その料理に用いられる食材名とを含む料理情報をデータベース化した料理レシピデータベースから、前記食材選択機能を介して選択された食材をもとに、前記食材を利用した料理名を検索し、前記検索した料理名から所望の料理名の選択を促す料理選択機能と、前記料理選択機能を介して選択された前記料理名をもとに、その料理に用いられる全ての食材を、前記料理レシピデータベースから検索する食材検索機能と、食材とその価格とを含む食材情報を前記配達範囲内の店舗ごとにデータベース化した食材情報データベースを、前記食材検索機能により検索した前記全ての食材をもとに検索し、前記全ての食材についてその合計価格を前記店舗ごとに算出する食材合計価格算出機能と、前記食材合計価格算出機能により算出した前記合計価格が最も安価となる前記配達範囲内の店舗を、前記食材を購入する店舗として決定する食材購入店舗決定機能と、前記食材購入店舗決定機能により決定した店舗から前記食材を購入するための手続きを行う食材購入機能とをコンピュータにより実現させることを特徴とする。
【００１３】
本発明の食材組み合わせ購入プログラムは、コンピュータにより配達範囲規定機能と食材選択機能と料理選択機能と食材検索機能と食材合計価格算出機能と食材購入店舗決定機能と食材購入機能とをコンピュータにより実現させ、前記食材選択機能が、食材の選択を促し、料理選択機能が、料理名と、その料理に用いられる食材名とを含む料理情報をデータベース化した料理レシピデータベースから、前記食材選択機能を介して選択された食材をもとに、前記食材を利用した料理名を検索し、前記検索した料理名から所望の料理名の選択を促し、食材検索機能が、前記料理選択機能を介して選択された前記料理名をもとに、その料理に用いられる全ての食材を、前記料理レシピデータベースから検索し、食材合計価格算出機能が、食材とその価格とを含む食材情報を前記配達範囲内の店舗ごとにデータベース化した食材情報データベースを、前記食材検索機能により検索した前記全ての食材をもとに検索し、前記全ての食材についてその合計価格を前記店舗ごとに算出し、食材購入店舗決定機能が、前記合計価格が最も安価となる前記配達範囲内の店舗を、前記食材を購入する店舗として決定し、前記決定した店舗から前記食材を購入するための手続きを食材購入機能が実現するので、総材料費の合計価格の最安値で食材を購入でき、経済性および食材収集の効率性を考慮して食材を購入できる。
【００１４】
【発明の実施の形態】
次に、本発明の実施の一形態について説明する。
図１は、本発明の食材組み合わせ購入方法が適用される食材組み合わせ購入システムの構成を示すシステム構成図である。この食材組み合わせ購入システムは、このシステムを利用する利用者の利用者端末１０、受付けセンタ２０および食材の販売を行なっている店舗３０を備えており、前記利用者端末１０と受付けセンタ２０と店舗３０はネットワーク１００により接続されている。
利用者端末１０は、食材の購入を行うユーザが使用するパーソナルコンピュータなどの情報処理装置である。また、受付けセンタ２０から当月の購入履歴情報を受信する機能も有している。
図２は受付けセンタ２０の構成を示すブロック図であり、図２に示すように処理装置（配達範囲規定手段、食材選択手段、料理選択手段、食材検索手段、食材合計価格算出手段、食材購入店舗決定手段、食材購入手段、購入情報保存手段）２０１、ユーザ情報データベース２０２、購入情報データベース２０３、食材情報データベース２０４、店舗情報データベース２０５、料理レシピデータベース２０６などを備えている。
【００１５】
図４は、ユーザ情報データベース２０２のデータ構成を示す説明図であり、ユーザ名、パスワード、お客様ナンバー、電子メールアドレス、氏名、性別、郵便番号、住所、電話番号、生年月日、受取人氏名、受取人郵便番号、受取人住所、受取人電話番号、支払方法、配達範囲などの各種ユーザ情報をユーザごとに格納したデータ構成となっている。
【００１６】
図６は、食材情報データベース２０４のデータ構成を示す説明図であり、食材名、単位数量（例えば、１袋単位、１００グラム単位）あたりの価格、店舗名、売り出しているかいないかの販売状況、売り出している場合にはその売り出し日、生産地、賞味期限などの情報を食材ごとに格納したデータ構成となっている。
【００１７】
図８は、料理レシピデータベース２０６のデータ構成を示す説明図であり、料理ジャンル、その料理ジャンルに含まれる料理名、前記料理に必要な食材名、分量、レシピなどの各情報が格納されたデータ構成となっている。
【００１８】
図１１は、店舗情報データベース２０５のデータ構成を示す説明図であり、営業時間、住所、電話番号、担当者、電子メールアドレス、地図、コメントなどの各店舗情報を店舗名ごとに格納したデータ構成となっている。
【００１９】
図１６および図１７は、購入情報データベース２０３のデータ構成を示す説明図であり、購入日付、購入店舗、購入食材、数量、価格、配達日、取引日などの購入した食材についての各購入情報をユーザごとに格納したデータ構成となっている。
【００２０】
処理装置２０１はサーバなどの情報処理装置であり、ネットワーク１００を介して複数の店舗３０から食材情報を受信し、食材情報データベース２０４へ格納する目的で使用される。また、利用者端末１０からのログインについて、ユーザ情報データベース２０２の登録内容と照合することで、登録された利用者であることを確認するとそのログインを許可する。また、利用者端末１０からの食材検索を料理レシピデータベース２０６から検索し、料理レシピを表示する。また、検索した食材をもとに、食材情報データベース２０４から合計価格を算出し、この合計価格が最安値の店舗を自動的に選択する。このとき、店舗情報データベース２０５も検索し、前記選択した店舗である購入店舗情報も表示する機能を有している。食材の購入時には、その購入情報を購入情報データベース２０３へ格納し、店舗３０へ自動的に送信する。また、利用者端末１０へ当月の購入履歴情報を自動的に送信する機能も有している。
【００２１】
店舗３０はパーソナルコンピュータなどの情報処理装置であり、複数の店舗からなる。この店舗３０は、ネットワーク１００を介して受付けセンタ２０へ食材情報を店舗ごとに送信する機能を備えている。また、受付けセンタ２０からの購入情報を受付け処理する目的にも使用される。
【００２２】
次に、この食材組み合わせ購入方法が適用される食材組み合わせ購入システムの動作について説明する。
図３は、この食材組み合わせ購入システムの動作を示すフローチャートである。複数の店舗３０は、ネットワーク１００を介して受付センタ２０へ食材情報を送信する。受付センタ２０の処理装置２０１は、前記店舗３０から送信された食材情報を受信し、食材情報データベース２０４として情報を格納する。
先ず、利用者は、利用者端末１０からユーザ名とパスワードを入力し、受付けセンタ２０へログインする（ステップＳ１）。
受付センタ２０の処理装置２０１は、ログインしたユーザ名が登録されているか、またはユーザ名に対しパスワードが正しいか誤りであるかを、ユーザ情報データベース２０２に登録されているデータ内容と照合し、正しい場合にはそのログインを許可する（ステップＳ２）。
そして、処理装置２０１は、ユーザ情報データベース２０２の前記配達範囲（ＡＡＡＡＡ）を前記受取人住所情報から自動的に設定する。図５は、この自動的に設定される配達範囲の一例を示す説明図であり、この場合、前記受取人住所から半径１０Ｋｍの範囲内が配達範囲となる。処理装置２０１は、さらに、前記設定された配達範囲内にある店舗３０に対し、利用者端末１０から前記ユーザが選択した検索方法に従って食材の検索を行う（ステップＳ３、ステップＳ４）。
この検索方法には、次に説明する検索方法１と検索方法２の検索方法がある。
【００２３】
先ず、検索方法１から説明する。
この検索方法１は、食材をお買い得情報から選択して購入する検索方法である。この検索方法１では、先ず、受付センタ２０の処理装置２０１は、食材情報データベース２０１を検索し、売り出しが“有”になっている食材名を抽出し、お買い得情報一覧を作成する。図７は、このお買い得情報一覧の一例を示す説明図であり、売り出し日付、食材名、数量、価格、賞味期限、産地、店舗名などが一覧表示される。
【００２４】
ユーザは、利用者端末１０からこのお買い得情報一覧を参照し、食材名（にんじん）を選択する（ステップＳ５、ステップＳ６）。受付センタ２０の処理装置２０１は、料理レシピデータベース２０６を食材名（にんじん）により検索し、該当する全ての料理ジャンル（炒め物、煮物）を表示する。
【００２５】
前記ユーザは、利用者端末１０から前記表示された料理ジャンルから料理ジャンル“煮物”を選択する（ステップＳ７）。受付センタ２０の処理装置２０１は、料理レシピデータベース２０６を前記選択された料理ジャンル“煮物”で検索し、該当する全ての料理名（肉じゃが、きんぴらごぼう）を表示する。前記ユーザは、利用者端末１０から前記表示された料理名の“きんぴらごぼう”を選択する（ステップＳ８）。
【００２６】
受付センタ２０の処理装置２０１は、料理レシピデータベース２０６を前記選択された料理名“きんぴらごぼう”で検索し、“きんぴらごぼう”を料理するのに必要な全ての食材（ごぼう、にんじん）を選択する（ステップＳ９）。さらに、食材情報データベース２０４に格納されている材料名、価格、店舗などの各情報をもとに、前記選択した全ての材料名（ごぼう、にんじん）の合計価格を店舗ごとに計算し（ステップＳ１０）、図９に示すように低価格順に並べて、最も低価格である店舗名での購入、すなわち、合計金額１９０円である店舗名“１”の店舗を自動的に選択し決定する（ステップＳ１１）。
【００２７】
そして、再度、受付センタ２０の処理装置２０１は料理レシピデータベース２０６を料理ジャンル“煮物”の料理名“きんぴらごぼう”で検索し、レシピＸＸＸＸＸを表示する。このとき店舗情報データベース２０５から店舗名“１”を検索し、図１２に示すようにその店舗情報も表示する（ステップＳ１８）。
【００２８】
そして、前記ユーザは、購入するのであれば、利用者端末１０に出力された図１４に示す購入画面により購入手続きを行い、材料か料理名で選択して買い物カゴへ入れる購入作業を行う（ステップＳ１９）。このとき、材料は購入したい食材名のみを選択して買い物カゴへ入れることが出来る。また、料理名を選択すると料理レシピデータベース２０６から検索した全ての食材が買い物カゴへ入るようになっている。
【００２９】
受付センタ２０の処理装置２０１は、買い物カゴに入っている購入内容を図１６に示すように購入情報データベース２０３の形で格納し（ステップＳ２０）、店舗名“１”の店舗の電子メールアドレス１２３へユーザ情報データベース２０２の情報とともに自動送信する（ステップＳ２１）。
【００３０】
また、購入情報データベース２０３の図１８に示す当月分の購入履歴情報も利用者端末１０の電子メールアドレス“ＥＦＧ”へ自動送信する。この結果、前記ユーザは利用者端末１０により前記自動送信された当月分の購入履歴情報を受信して、当月の購入履歴を確認することが出来、家計簿の役目を兼ねることが出来るため予算管理が容易になるという効果がある。
【００３１】
一方、店舗名“１”の店舗では、購入情報を受信し、購入情報データベース２０３において配達日が指定されている場合には、購入された食材を指定された日にユーザへ配達する。また、取引日が指定されている場合には、購入食材を指定された日に準備しておくことになる。
【００３２】
次に、検索方法２について説明する。
この検索方法２は、食材を指定して購入する検索方法である。この検索方法２では、ユーザが利用者端末１０から食材“キャベツ”を指定する（ステップＳ１２）。受付センタ２０の処理装置２０１は、料理レシピデータベース２０６を食材“キャベツ”で検索し、該当する全ての料理ジャンル“炒め物、酢の物”を利用者端末１０へ表示する。前記ユーザは利用者端末１０において表示された料理ジャンル“炒め物”を選択する（ステップＳ１３）。受付センタ２０の処理装置２０１は、料理レシピデータベース２０６を料理ジャンル“炒め物”で検索し該当する全ての料理名“ホイコーロ”、“肉野菜炒め”を利用者端末１０へ表示する。前記ユーザは利用者端末１０において料理名“ホイコーロ”を選択する（ステップＳ１４）。
受付センタ２０の処理装置２０１は、料理レシピデータベース２０６を料理名“ホイコーロ”で検索し、料理を行うのに必要な全ての食材名“キャベツ”、“肉”を選択する（ステップＳ１５）。さらに、食材情報データベース２０４より、検索した全ての食材名“キャベツ”、“肉”の合計価格を店舗ごとに計算し（ステップＳ１６）、図１０に示すように低価格順に並べ、最も合計価格が低価格となる店舗、この場合、店舗名“３”の店舗での購入を自動的に選択し決定する（ステップＳ１７）。
そして、受付センタ２０の処理装置２０１は、再度、料理レシピデータベース２０６を料理ジャンル“炒め物”の料理名“ホイコーロ”で検索し、レシピＸＸＸＸＸを表示する。このとき店舗情報データベース２０５から店舗名“３”を検索し、図１３に示すようにその店舗情報も表示する（ステップＳ１８）。
【００３３】
そして、前記ユーザは、購入するのであれば、利用者端末１０に出力された図１５に示す購入画面により購入手続きを行い、材料か料理名で選択して買い物カゴへ入れる購入作業を行う（ステップＳ１９）。このとき、材料は購入したい食材名のみを選択して買い物カゴへ入れることが出来る。また、料理名を選択すると料理レシピデータベース２０６から検索した全ての食材が買い物カゴへ入るようになっている。
【００３４】
受付センタ２０の処理装置２０１は、買い物カゴに入っている購入内容を図１７に示すように購入情報データベース２０３の形で格納し（ステップＳ２０）、店舗名“３”の店舗の電子メールアドレス７８９へユーザ情報データベース２０２の情報とともに自動送信する（ステップＳ２１）。
【００３５】
また、購入情報データベース２０３の図１９に示す当月分の購入履歴情報も利用者端末１０の電子メールアドレス“ＥＦＧ”へ自動送信する。この結果、前記ユーザは利用者端末１０により前記自動送信された当月分の購入履歴情報を受信して、当月の購入履歴を確認することが出来、家計簿の役目を兼ねることが出来るため予算管理が容易になるという効果がある。
【００３６】
一方、店舗名“３”の店舗は、購入情報を受信し、購入情報データベース２０３において配達日が指定されている場合には、購入された食材を指定された配達日に前記ユーザへ配達する。また、取引日が指定されている場合には、購入食材を指定された取引日に準備しておくことになる。
【００３７】
以上、説明したように、この実施の形態によれば、検索方法１を選択した場合には、お買い得情報を即座に把握できることから、食材を購入する店舗ごとの価格の比較が容易になる食材組み合わせ購入方法および装置と食材組み合わせ購入プログラムを提供できる効果がある。
また、各店舗ごとの食材の合計価格が算出され、この合計価格が最も安価な店舗が食材を購入する店舗として決定されるため、最安値で食材を購入でき、また、各食材を異なる店舗から購入し収集する場合に比べて食材の収集を効率化できる食材組み合わせ購入方法および装置と食材組み合わせ購入プログラムを提供できる効果がある。
また、ユーザは購入履歴を受信することで、家計簿としても利用でき、予算管理も容易になる食材組み合わせ購入方法および装置と食材組み合わせ購入プログラムを提供できる効果がある。
また、店舗から食材が配達されるため、食材を収集する手間が省け、食材収集を効率化できる食材組み合わせ購入方法および装置と食材組み合わせ購入プログラムを提供できる効果がある。
また、従来では必要な食材を収集するための買い物に手間を要していたが、ユーザが必要な食材を店舗へ受け取りに行く場合には、前記店舗には必要な食材があらかじめ準備されているので、必要な食材を収集する手間が省け、必要な食材を収集するための買い物を効率化できる食材組み合わせ購入方法および装置と食材組み合わせ購入プログラムを提供できる効果がある。
【００３８】
【発明の効果】
以上説明したように、本発明によれば、配達される食材を受け取る受取人住所から所定の距離の配達範囲を規定する配達範囲規定ステップと、食材を選択する食材選択ステップと、料理名と、その料理に用いられる食材名とを含む料理情報をデータベース化した料理レシピデータベースから、前記食材選択ステップにより選択した食材をもとに、前記食材を利用した料理名を選択する料理選択ステップと、前記料理選択ステップにより選択した前記料理名をもとに、その料理に用いられる全ての食材を、前記料理レシピデータベースから検索する食材検索ステップと、食材とその価格とを含む食材情報を前記配達範囲内の店舗ごとにデータベース化した食材情報データベースを、前記食材検索ステップにより検索した前記全ての食材をもとに検索し、前記全ての食材についてその合計価格を前記店舗ごとに算出する食材合計価格算出ステップと、前記食材合計価格算出ステップにより算出した前記合計価格が最も安価となる前記配達範囲内の店舗を、前記食材を購入する店舗として決定する食材購入店舗決定ステップと、前記食材購入店舗決定ステップにより決定した店舗から前記食材を購入する食材購入ステップとを備えるようにしたので、総材料費の合計価格の最安値で食材を購入でき、経済性および食材収集の効率性を考慮して食材を購入できる効果がある。
【００３９】
また、本発明によれば、料理レシピデータベースと、配達される食材を受け取る受取人住所から所定の距離の配達範囲を規定する配達範囲規定手段と、食材とその価格とを含む食材情報を前記配達範囲内の店舗ごとにデータベース化した食材情報データベースと、食材の選択を促す食材選択手段と、前記食材選択手段を介して選択された食材をもとに、前記料理レシピデータベースから前記食材を利用した料理名を検索し、前記検索した料理名から所望の料理名の選択を促す料理選択手段と、前記料理選択手段を介して料理名が選択されると、その料理に用いられる全ての食材を前記料理レシピデータベースから検索する食材検索手段と、前記食材情報データベースを、前記食材検索手段により検索した前記全ての食材をもとに検索し、前記全ての食材についてその合計価格を前記配達範囲内の店舗ごとに算出する食材合計価格算出手段と、前記合計価格が最も安価となる前記配達範囲内の店舗を、前記食材を購入する店舗として決定する食材購入店舗決定手段と、前記決定した店舗から前記食材を購入する手続きを行うための食材購入手段とを備えるように構成したので、総材料費の合計価格の最安値で食材を購入でき、経済性および食材収集の効率性を考慮して食材を購入できる効果がある。
【００４０】
本発明によれば、配達される食材を受け取る受取人住所から所定の距離の配達範囲を規定する配達範囲規定機能と、食材の選択を促す食材選択機能と、料理名と、その料理に用いられる食材名とを含む料理情報をデータベース化した料理レシピデータベースから、前記食材選択機能を介して選択された食材をもとに、前記食材を利用した料理名を検索し、前記検索した料理名から所望の料理名の選択を促す料理選択機能と、前記料理選択機能を介して選択された前記料理名をもとに、その料理に用いられる全ての食材を、前記料理レシピデータベースから検索する食材検索機能と、食材とその価格とを含む食材情報を前記配達範囲内の店舗ごとにデータベース化した食材情報データベースを、前記食材検索機能により検索した前記全ての食材をもとに検索し、前記全ての食材についてその合計価格を前記店舗ごとに算出する食材合計価格算出機能と、前記食材合計価格算出機能により算出した前記合計価格が最も安価となる前記配達範囲内の店舗を、前記食材を購入する店舗として決定する食材購入店舗決定機能と、前記食材購入店舗決定機能により決定した店舗から前記食材を購入するための手続きを行う食材購入機能とをコンピュータにより実現させるように構成したので、前記各機能により総材料費の合計価格の最安値による食材の購入が実現でき、経済性および食材収集の効率性を考慮した食材の購入が可能になる効果がある。
【図面の簡単な説明】
【図１】本発明の実施の一形態の食材組み合わせ購入方法が適用される食材組み合わせ購入システムの構成を示すシステム構成図である。
【図２】本発明の実施の一形態の食材組み合わせ購入方法が適用される食材組み合わせ購入システムにおける受付けセンタの構成を示すブロック図である。
【図３】本発明の実施の一形態の食材組み合わせ購入システムの動作を示すフローチャートである。
【図４】本発明の実施の一形態の食材組み合わせ購入システムにおけるユーザ情報データベースのデータ構成を示す説明図である。
【図５】本発明の実施の一形態の食材組み合わせ購入システムにおいて自動的に設定される配達範囲の一例を示す説明図である。
【図６】本発明の実施の一形態の食材組み合わせ購入システムにおける食材情報データベースのデータ構成を示す説明図である。
【図７】本発明の実施の一形態の食材組み合わせ購入システムにおけるお買い得情報一覧の一例を示す説明図である。
【図８】本発明の実施の一形態の食材組み合わせ購入システムにおける料理レシピデータベースのデータ構成を示す説明図である。
【図９】本発明の実施の一形態の食材組み合わせ購入システムにおいて全ての材料名の合計価格を低価格順に並べたときの説明図である。
【図１０】本発明の実施の一形態の食材組み合わせ購入システムにおいて全ての材料名の合計価格を低価格順に並べたときの説明図である。
【図１１】本発明の実施の一形態の食材組み合わせ購入システムにおける店舗情報データベースのデータ構成を示す説明図である。
【図１２】本発明の実施の一形態の食材組み合わせ購入システムにおいて表示された店舗情報を示す説明図である。
【図１３】本発明の実施の一形態の食材組み合わせ購入システムにおいて表示された店舗情報を示す説明図である。
【図１４】本発明の実施の一形態の食材組み合わせ購入システムにおける購入画面を示す説明図である。
【図１５】本発明の実施の一形態の食材組み合わせ購入システムにおける購入画面を示す説明図である。
【図１６】本発明の実施の一形態の食材組み合わせ購入システムにおける購入情報データベースのデータ構成を示す説明図である。
【図１７】本発明の実施の一形態の食材組み合わせ購入システムにおける購入情報データベースのデータ構成を示す説明図である。
【図１８】本発明の実施の一形態の食材組み合わせ購入システムにおいて利用者端末の電子メールアドレスへ自動送信される購入情報を示す説明図である。
【図１９】本発明の実施の一形態の食材組み合わせ購入システムにおいて利用者端末の電子メールアドレスへ自動送信される購入情報を示す説明図である。
【符号の説明】
２０１……処理装置（配達範囲規定手段、食材選択手段、料理選択手段、食材検索手段、食材合計価格算出手段、食材購入店舗決定手段、食材購入手段、購入情報保存手段）、２０３……購入情報データベース、２０４……食材情報データベース、２０６……料理レシピデータベース。
【図１】
2004110538.tif 000003
【図２】
2004110538.tif 000004
【図３】
2004110538.tif 000005
【図４】
2004110538.tif 000006
【図５】
2004110538.tif 000007
【図６】
2004110538.tif 000008
【図７】
2004110538.tif 000009
【図８】
2004110538.tif 000010
【図９】
2004110538.tif 000011
【図１０】
2004110538.tif 000012
【図１１】
2004110538.tif 000013
【図１２】
2004110538.tif 000014
【図１３】
2004110538.tif 000015
【図１４】
2004110538.tif 000016
【図１５】
2004110538.tif 000017
【図１６】
2004110538.tif 000018
【図１７】
2004110538.tif 000019
【図１８】
2004110538.tif 000020
【図１９】
2004110538.tif 000021